(57)【要約】【課題】アナログ表示内容の変更動作に係るユーザの利便性を向上させることの出来るアナログ表示装置、電子時計、表示動作制御方法及びプログラムを提供する。【解決手段】アナログ電子時計は、可動表示部を有し可動表示部が移動動作することで表示内容が変化する表示部と、可動表示部の移動動作を制御する制御部と、ユーザの入力操作を受け付ける操作受付部と、を備え、制御部は、第１の入力操作に応じて可動表示部を早送り移動動作させて前記表示部による複数の表示内容を順番に表示させ、第２の入力操作に応じて早送り移動動作を中止させ、早送り移動動作を行わせる場合に、表示される順番の隣り合った表示内容間で切り替えるときの少なくとも一部における可動表示部の早送り移動速度を、早送り移動動作により複数の表示内容の表示を一巡させる間の可動表示部の平均移動速度よりも大きい高速移動速度に定める。【選択図】図４
2018072259.tif 000002
【特許請求の範囲】
【請求項１】
可動表示部を有し、当該可動表示部が移動動作することで表示内容が変化する表示部と、
前記可動表示部の移動動作を制御する制御部と、
ユーザの入力操作を受け付ける操作受付部と、
を備え、
前記制御部は、
前記操作受付部により受け付けられる第１の入力操作に応じて前記可動表示部を早送り移動動作させて前記表示部による複数の表示内容を順番に表示させ、
前記操作受付部により受け付けられる第２の入力操作に応じて前記早送り移動動作を中止させ、
前記早送り移動動作を行わせる場合に、表示される順番の隣り合った表示内容間で切り替えるときの少なくとも一部における前記可動表示部の早送り移動速度を、前記早送り移動動作により前記複数の表示内容の表示を一巡させる間の前記可動表示部の平均移動速度よりも大きい高速移動速度に定める
ことを特徴とするアナログ表示装置。
【請求項２】
前記制御部は、前記隣り合った表示内容間での切り替えに係る前記可動表示部の移動量が所定の基準量より大きい場合には、前記可動表示部の前記早送り移動速度を前記高速移動速度に定めることを特徴とする請求項１記載のアナログ表示装置。
【請求項３】
前記制御部は、前記早送り移動動作を行わせる場合に、順番に表示される隣り合った表示内容間での切り替え途中に表示の対象とされない表示内容の表示状態が含まれる場合には、前記切り替えに係る前記可動表示部の早送り移動速度を前記高速移動速度に定めることを特徴とする請求項１又は２記載のアナログ表示装置。
【請求項４】
前記制御部は、前記可動表示部を複数の早送り移動速度で移動動作させることが可能であり、
前記高速移動速度は、前記複数の早送り移動速度のうち最高速度である
ことを特徴とする請求項１〜３の何れか一項に記載のアナログ表示装置。
【請求項５】
前記制御部は、前記表示部により、予め設定された２つの表示内容間で表示の切り替え動作を行わせる場合における前記可動表示部の設定移動速度よりも、前記早送り移動動作時に前記高速移動速度で移動させない期間の移動速度を小さく定めることを特徴とする請求項１〜４の何れか一項に記載のアナログ表示装置。
【請求項６】
前記制御部は、前記可動表示部を複数の早送り移動速度で移動動作させることが可能であり、
前記設定移動速度は、前記複数の早送り速度のうち最高速度である
ことを特徴とする請求項５記載のアナログ表示装置。
【請求項７】
前記可動表示部は、回転移動可能に設けられた表示板を含むことを特徴とする請求項１〜６の何れか一項に記載のアナログ表示装置。
【請求項８】
前記表示板における一方の面を覆う遮蔽板を備え、
前記一方の面には、前記表示板の回転移動に応じて前記遮蔽板の開口部から露出可能に配置された複数の標識が設けられ、
前記開口部は、前記表示板の回転移動により前記複数の標識のうち一部が選択的に露出可能に形成されている
ことを特徴とする請求項７記載のアナログ表示装置。
【請求項９】
前記複数の標識は、前記表示板の回転軸に対して所定の回転角度範囲に設けられ、
前記制御部は、前記所定の回転角度範囲外では、前記表示板を前記高速移動速度で回転移動動作させることを特徴とする請求項８記載のアナログ表示装置。
【請求項１０】
前記表示板には、２以上の所定数の機能動作にそれぞれ係る複数の標識が当該表示板の回転軸に対して互いに異なる回転角度範囲に設けられ、
前記制御部は、前記第１の入力操作に応じて表示の対象とされる機能動作に係る前記複数の標識が設けられた前記回転角度範囲外で前記表示板を回転移動させる場合には、前記表示板を前記高速移動速度で回転移動動作させる
ことを特徴とする請求項８記載のアナログ表示装置。
【請求項１１】
前記制御部は、前記可動表示部の前記早送り移動動作時に、前記表示内容の表示ごとに前記可動表示部を所定時間ずつ一時停止させることを特徴とする請求項１〜１０の何れか一項に記載のアナログ表示装置。
【請求項１２】
請求項１〜１１の何れか一項に記載のアナログ表示装置と、
現在の時刻を計数する計時部と、
を備え、
前記表示部は、前記制御部の制御により前記計時部が計数する現在の時刻に応じた時刻を表示することが可能である
ことを特徴とする電子時計。
【請求項１３】
可動表示部を有し、当該可動表示部が移動動作することで表示内容が変化する表示部と、ユーザの入力操作を受け付ける操作受付部と、を備えるアナログ表示装置の表示動作制御方法であって、
前記操作受付部により受け付けられる第１の入力操作に応じて前記可動表示部を早送り移動動作させて前記表示部による複数の表示内容を順番に表示させる早送り制御ステップ、
前記操作受付部により受け付けられる第２の入力操作に応じて前記早送り移動動作を中止させる早送り中止ステップ、
を含み、
前記早送り制御ステップでは、
表示される順番の隣り合った表示内容間で切り替えるときの少なくとも一部における前記可動表示部の早送り移動速度を、前記早送り移動動作により前記複数の表示内容の表示を一巡させる間の前記可動表示部の平均移動速度よりも大きい高速移動速度に定める
ことを特徴とする表示動作制御方法。
【請求項１４】
可動表示部を有し、当該可動表示部が移動動作することで表示内容が変化する表示部と、ユーザの入力操作を受け付ける操作受付部と、を備えるアナログ表示装置のコンピュータを、
前記操作受付部により受け付けられる第１の入力操作に応じて前記可動表示部を早送り移動動作させて前記表示部による複数の表示内容を順番に表示させる早送り制御手段、
前記操作受付部により受け付けられる第２の入力操作に応じて前記早送り移動動作を中止させる早送り中止手段、
として機能させ
前記早送り制御手段は、
表示される順番の隣り合った表示内容間で切り替えるときの少なくとも一部における前記可動表示部の早送り移動速度を、前記早送り移動動作により前記複数の表示内容の表示を一巡させる間の前記可動表示部の平均移動速度よりも大きい高速移動速度に定める
ことを特徴とするプログラム。
【発明の詳細な説明】
【技術分野】
【０００１】
この発明は、アナログ表示装置、電子時計、表示動作制御方法、及びプログラムに関する。
【背景技術】
【０００２】
従来、ステッピングモータなどを用いて指針や表示板（以降、指針などと記す）を電気信号に応じて回転動作させて、指し示す方向や標識などとの位置関係に応じて情報を表示するアナログ表示装置がある。このようなアナログ表示装置は、日時や経過時間、温度、気圧や電流、電圧などの計測可能な各種物理量などに応じて動作制御される場合に加え、ユーザの操作に基づく設定値の表示や多機能表示装置における機能種別の切り替え表示などにも用いられる。
【０００３】
このようなアナログ表示装置において、特に、多数の標識が設けられた表示板を文字盤に平行に設け、表示板を回転させて所定数の標識のみが視認可能に文字盤の開口部から露出させる技術がある（例えば、特許文献１）。また、特許文献２には、このような表示板上に日付を示す標識と標準電波の受信周波数を示す標識とを併記させて、一枚の表示板で複数の表示内容を選択的に示すことが可能とする技術が開示されている。このような技術により、表示板上の不要な情報を隠蔽し、且つ文字盤の開口部以外の部分を他の用途に有効に利用することが出来るので、限られた面積で表現可能な機能、デザインの幅を広げることが可能とされている。
【先行技術文献】
【特許文献】
【０００４】
【特許文献１】特開２０１０−２０３７８２号公報
【特許文献２】特開２００６−１５３６５１号公報
【発明の概要】
【発明が解決しようとする課題】
【０００５】
しかしながら、このようなアナログ表示装置では、指針などの回転に係るトルクとステッピングモータの能力とに応じて最速の回転移動速度や回転角度が定められるので、回転動作に要する力の大きな指針など、特に、回転円板などでは、１ステップ当たりの回転角度が小さく定められるなどにより、表示の切替に時間を要してユーザを待たせる場合がある。その一方で、回転移動速度が大きくなると、ユーザ操作に応じて表示の切り替えを行う場合に、ユーザが適切な位置で指針などを停止させづらくなったり、指針などの指示位置や標識を視認しづらくなったりして、ユーザの利便性を損なうという課題がある。
【０００６】
この発明の目的は、アナログ表示内容の変更動作に係るユーザの利便性を向上させることの出来るアナログ表示装置、電子時計、表示動作制御方法及びプログラムを提供することにある。
【課題を解決するための手段】
【０００７】
上記目的を達成するため、本発明は、
可動表示部を有し、当該可動表示部が移動動作することで表示内容が変化する表示部と、
前記可動表示部の移動動作を制御する制御部と、
ユーザの入力操作を受け付ける操作受付部と、
を備え、
前記制御部は、
前記操作受付部により受け付けられる第１の入力操作に応じて前記可動表示部を早送り移動動作させて前記表示部による複数の表示内容を順番に表示させ、
前記操作受付部により受け付けられる第２の入力操作に応じて前記早送り移動動作を中止させ、
前記早送り移動動作を行わせる場合に、表示される順番の隣り合った表示内容間で切り替えるときの少なくとも一部における前記可動表示部の早送り移動速度を、前記早送り移動動作により前記複数の表示内容の表示を一巡させる間の前記可動表示部の平均移動速度よりも大きい高速移動速度に定める
ことを特徴とするアナログ表示装置である。
【発明の効果】
【０００８】
本発明に従うと、アナログ表示内容の変更動作に係るユーザの利便性を向上させることが出来るという効果がある。
【図面の簡単な説明】
【０００９】
【図１】本発明の実施形態の電子時計を示す正面図である。
【図２】回転板の正面図である。
【図３】電子時計の機能構成を示すブロック図である。
【図４】回転板の回転速度の設定例を示す図である。
【図５】回転板動作制御処理の制御手順を示すフローチャートである。
【図６】回転板動作制御処理の変形例１を示すフローチャートである。
【図７】回転板動作制御処理の変形例２を示すフローチャートである。
【図８】回転板の変形例を示す正面図である。
【発明を実施するための形態】
【００１０】
以下、本発明の実施の形態を図面に基づいて説明する。
図１は、本発明のアナログ表示装置の本実施形態であるアナログ電子時計１の正面図である。
【００１１】
このアナログ電子時計１（電子時計）は、内部に各構成を収めるケーシング２と、ケーシング２内で一方の面（露出面）が外部に露出される文字盤３と、文字盤３の露出面を覆う図示略の透明部材（風防ガラス）と、文字盤３の略中心を回転軸として文字盤３と風防ガラスの間で文字盤３の略全面に亘って回転動作し、文字盤３の外縁付近に設けられた標識や目盛を指し示す３本の時刻指針６１、６２、６３と、文字盤３の露出面とは反対側に当該文字盤３と平行に設けられ、回転動作（移動動作）に応じて文字盤３の４時３０分方向に設けられた開口部３１から所定数（ここでは、３つ）の標識が露出される回転板６４（可動表示部、表示板）と、ケーシング２における文字盤３の露出面側に対して側面側に設けられたりゅうずＣ１などを備える。
【００１２】
文字盤３には、時、分及び秒を示す目盛や標識（時字）が円環状に設けられている。文字盤３は、開口部３１から露出される部分を除いて回転板６４の一方の面を覆い隠すように設けられる遮蔽板を構成する。
時刻指針６１〜６３は、それぞれ、秒針６１、分針６２及び時針６３であり、通常、時刻を表示する場合に、それぞれ、時刻の時、分、秒を指し示す。
【００１３】
図２は、回転板６４の正面図である。
回転板６４の周縁部には、環状に複数（ここでは、５４個）の標識が所定の角度間隔、例えば、６度間隔（必ずしも全て均等間隔である必要は無く、ここでは、一部１２度間隔）で設けられている。これらの標識のうち、基準標識Ａ１の方向（任意に設定可能）から回転軸に対し右回りで（以下同様）３３０度方向に設けられた標識「ＢＡＲ」から１６２度方向に設けられた標識「ＣＸＩ」まで（所定の回転角度範囲）の３３個の標識は、世界の各タイムゾーン（ＵＴＣ＝協定世界時を含む）を代表する地域（都市）名を示す。１７４度方向に設けられた標識「ＴＩＭＥ」から２０４度方向に設けられた標識「ＴＩＤＥ」までは、アナログ電子時計１で実行可能な各種機能の種別を示す。２１６度方向に設けられた標識「ＡＴ」から２２８度方向に設けられた標識「ＤＳＴ」までは、夏時間の実施有無に係る設定種別を示す。２４０度方向に設けられた標識「ＨＩＧＨ」から２５８度方向に設けられた標識「ＣＨＧ」までは、バッテリの残量を示す。２７０度方向に設けられた標識「Ｔ」から２８２度方向に設けられた標識「ＲＣ」までは、測位衛星からの電波や標準電波の受信による日時や現在位置情報の取得状況を示す。２９４度方向に設けられた標識「ＯＮ」及び３００度方向に設けられた標識「ＯＦＦ」は、アラーム報知機能の設定有無を示す。また、３１２度方向に設けられた標識「ＹＥＳ」及び３１８度方向に設けられた標識「ＮＯ」は、測位衛星からの電波や標準電波の受信成否を示す。
【００１４】
上述の全ての標識は、回転板６４の回転移動に応じて選択的に開口部３１から露出可能に設けられている。ここでは、これらの標識のうち、配列順が６度間隔で隣り合う３つ（一部）の標識が露出される。文字盤３には、開口部３１から露出される最大３つの標識のうち中央のものを指し示すように４時３０分方向、１２時方向に対して１３５度方向に指示標識３２が設けられている。この４時３０分方向が標識の表示位置とされ、当該表示位置にある標識が表示内容としてユーザに示される。
以下、時刻指針６１〜６３及び回転板６４をまとめて示す場合には、指針６１〜６４とも記す。
開口部３１を含む文字盤３及び回転板６４により表示部１０が構成される。表示部１０には、時刻指針６１〜６３が含まれ得る。
【００１５】
りゅうずＣ１は、ユーザからの入力操作を受け付ける。りゅうずＣ１は、ケーシング２から二段階の引き出し操作が可能であり、一段階又は二段階引き出された状態で所定の単位角度の回転動作が行われることにより操作信号がＣＰＵ４１（図３参照）に出力され、各種設定に用いられる。
【００１６】
図３は、アナログ電子時計１の機能構成を示すブロック図である。
アナログ電子時計１は、ＣＰＵ４１（Central Processing Unit）（制御部）と、ＲＯＭ４２（Read Only Memory）と、ＲＡＭ４３（Random Access Memory）と、発振回路４４と、分周回路４５と、計時手段としての計時回路４６（計時部）と、操作受付部４７と、衛星電波受信処理部４８及びそのアンテナＡＮ１と、標準電波受信部４９及びそのアンテナＡＮ２と、駆動回路５１と、電力供給部５２と、上述の時刻指針６１〜６３及び回転板６４と、輪列機構７１〜７４と、ステッピングモータ８１〜８４などを備える。
【００１７】
ＣＰＵ４１は、各種演算処理を行い、また、アナログ電子時計１の全体動作を統括制御するプロセッサである。ＣＰＵ４１は、日時の表示に係る指針動作を制御する。ＣＰＵ４１は、設定されているタイムゾーン及び夏時間の実施情報からなる地方時設定情報に基づいて計時回路４６の計数する日時を適切な地方時に換算し、通常の時刻表示機能の実行モードにおいて、換算された地方時を時刻指針６１〜６３により表示させる。
また、ＣＰＵ４１は、衛星電波受信処理部４８や標準電波受信部４９を動作させて日時情報を取得したり、衛星電波受信処理部４８の動作に基づいて現在位置を取得したりする。ＣＰＵ４１は、得られた日時のデータに基づいて計時回路４６の計数する日時を修正する。また、ＣＰＵ４１は、現在位置のデータに基づいて地方時設定情報を変更することが出来る。
【００１８】
ＲＯＭ４２は、ＣＰＵ４１により実行される各種制御用のプログラム４２１や設定データを格納する。プログラム４２１には、例えば、各種機能モードの動作制御に係るプログラムが含まれている。また、設定データには、地方時設定の際に選択され得る都市名、当該都市を示す標識が設けられた回転板６４上の位置（標識位置）、並びに当該都市におけるタイムゾーン（ＵＴＣ時刻からの時差）及び夏時間実施ルール（実施期間及び実施期間における時刻のシフト量）を対応付けてテーブル記憶させた地方時テーブル４２２が含まれる。また、ＲＯＭ４２には、回転板６４上の各標識の位置、内容及び当該位置が指し示され得る機能動作の種別が対応付けられた標識リスト４２３が記憶保持される。なお、複数（２以上の所定数）の機能動作の種別に応じた標識が設けられている範囲（回転角度範囲）が各々一意に限られ（即ち、互いに異なり）、当該範囲内で各標識が等間隔で配置されている場合には、機能種別と範囲との対応のみが別途記憶保持されていても良い。
【００１９】
ＲＡＭ４３は、ＣＰＵ４１に作業用のメモリ空間を提供し、一時データを記憶する。また、ＲＡＭ４３には、日時情報及び位置情報の取得に係る履歴、現在選択設定されている地方時設定情報４３１や、指針位置を示すデータなどが記憶されている。
【００２０】
発振回路４４は、所定の周波数信号を生成して出力する。発振回路４４は、例えば、水晶発振子を備える。
分周回路４５は、発振回路４４から出力された周波数信号をＣＰＵ４１や計時回路４６により利用される周波数の信号に分周して出力する。出力される周波数は、ＣＰＵ４１からの制御信号により変更可能に設定されていても良い。
【００２１】
計時回路４６は、所定の日時を示す初期値に分周回路４５から入力される分周信号を計数して加算していくことにより現在の日時を計数する。この計時回路４６により計数される日時は、発振回路４４の精度に応じた誤差（歩度）、例えば、一日に０．５秒程度、を有する。この計時回路４６の計数する日時は、ＣＰＵ４１からの制御信号により修正されることが可能となっている。
【００２２】
操作受付部４７は、ユーザからの入力操作を受け付ける。操作受付部４７には、上述のりゅうずＣ１が含まれる。りゅうずＣ１が引き出され、押し戻され、また、回転動作がなされたりした場合には、動作種別に応じた電気信号がＣＰＵ４１に出力される。りゅうずＣ１は、二段階の引き出しが可能となっており、引き出し状態に応じた内容の操作の受付を行う。操作受付部４７は、その他一又は複数の押しボタンスイッチやタッチパネルなどを備えていても良い。
【００２３】
衛星電波受信処理部４８は、アンテナＡＮ１を用いて少なくともＧＰＳ（Global Positioning System）に係る測位衛星（ＧＰＳ衛星）を含む測位衛星からの電波を受信し、これら測位衛星からのスペクトラム拡散された送信電波を復調して信号（航法メッセージデータ）を復号、解読する。衛星電波受信処理部４８は、受信部４８１と、制御部４８２と、記憶部４８３を備え、受信部４８１により受信され、復調された航法メッセージの符号列は、制御部４８２により解読され、更に、必要に応じて各種演算処理が行われることで、日時情報や現在位置情報などが取得される。制御部４８２からは、ＣＰＵ４１からの要求に応じたデータが予め設定されたフォーマットでＣＰＵ４１に出力される。
【００２４】
記憶部４８３には、フラッシュメモリやＥＥＰＲＯＭ（Electrically Erasable and Programmable Read Only Memory）といった不揮発性メモリが用いられ、衛星電波受信処理部４８への電力供給状態に依らず記憶された内容が保持される。記憶部４８３には、各種動作制御プログラム、測位衛星から取得される各測位衛星の予測軌道情報やうるう秒補正値などの設定データが記憶保持され得る。
記憶部４８３には、日時の取得に必要なうるう秒補正データや、各測位衛星の位置予測情報（軌道情報）などが記憶保持され得る。
【００２５】
衛星電波受信処理部４８の各構成は、まとめて一つのモジュールとしてチップ上に形成され、ＣＰＵ４１と接続される。衛星電波受信処理部４８の動作は、ＣＰＵ４１により、アナログ電子時計１の他の各部の動作とは独立にオンオフの制御がなされる。アナログ電子時計１では、衛星電波受信処理部４８を動作させる必要が無い場合には、衛星電波受信処理部４８への電力供給を中断することで省電力化が図られる。
【００２６】
標準電波受信部４９は、アンテナＡＮ２を介して日時情報を含む標準電波、ここでは、長波長帯の電波により送信されているものを受信し、符号列（タイムコード信号）を復調、同定して二値化されたデジタル信号としてＣＰＵ４１に出力する。標準電波受信部４９は、受信対象のＣＰＵ４１の制御により、各標準電波の送信周波数に応じて同調周波数を変更して標準電波の受信を行う。また、標準電波受信部４９は、各符号の同定におけるノイズの影響を低減除去するための各種処理回路等を備えていて良い。
標準電波受信部４９の動作は、ＣＰＵ４１によりアナログ電子時計１の他の各部の動作とは独立にオンオフの制御がなされ得る。
【００２７】
電力供給部５２は、各部の動作に係る電力をバッテリ５２１から所定電圧で供給する。バッテリとしては、例えば、ソーラパネルと二次電池とを備える。或いは、バッテリとして着脱交換可能なボタン型の乾電池が用いられても良い。また、電力供給部５２から複数の異なる電圧が出力される場合には、電力供給部５２は、例えば、スイッチング電源などを備え、所望の電圧に変換して出力可能な構成とすることが出来る。
【００２８】
ステッピングモータ８１は、複数の歯車の配列である輪列機構７１を介して秒針６１を回転動作させる。ステッピングモータ８１が一回駆動されると、秒針６１は、１ステップ６度回転し、ステッピングモータ８１の６０回の動作により文字盤３上で一周する。
ステッピングモータ８２は、輪列機構７２を介して分針６２を回転動作させる。ステッピングモータ８２が一回駆動されると、分針６２は、１ステップ１度回転し、ステッピングモータ８２の３６０回の動作により文字盤３上で一周する。
【００２９】
ステッピングモータ８３は、輪列機構７３を介して時針６３を回転動作させる。ステッピングモータ８３が一回駆動されると、時針６３は、１ステップ１度回転し、ステッピングモータ８３の３６０回の動作により文字盤３上で一周する。
【００３０】
ステッピングモータ８４は、輪列機構７４を介して回転板６４を回転動作させる。ステッピングモータ８４が一回駆動されると、回転板６４が１ステップ０．１５度回転される。即ち、回転板６４は、４０ステップの回転移動により６度回転して、６度間隔で配置されている標識一つ分（即ち６度）移動し、２４００ステップの回転移動により文字盤３の下方で一周する。
【００３１】
指針６１〜６４は、特には限られないが、正転方向（時刻が進む方向、右周り）及び逆転方向（時刻が戻る方向、左回り）にそれぞれ最速で４００ｐｐｓ（pulse per second）（最高速度）で回転移動されることが可能であり、アナログ電子時計１では、その他、例えば、２００ｐｐｓ、１２８ｐｐｓ、６４ｐｐｓ、３２ｐｐｓなどの複数の早送り速度（早送り移動速度）で回転移動させるように制御することが出来る。時刻指針６１〜６３と、回転板６４とを何れも４００ｐｐｓで回転させるために、ステッピングモータ８４には、ステッピングモータ８１〜８３よりも能力の高いものが用いられても良い。回転板６４の見かけ上の回転速度は、ステッピングモータの動作速度（ｐｐｓ）と回転板６４の１ステップ当たりの回転角（１パルスの入力による回転角）の大きさとの積で定まる。なお、ここでいう回転速度は、特に明記しない限り速度の大きさ（絶対値）であり、回転方向は別途定められる。
【００３２】
駆動回路５１は、ＣＰＵ４１からの制御信号に従ってステッピングモータ８１〜８４に所定電圧の駆動パルスを出力してステッピングモータ８１〜８４のロータをステータに対して所定角度（例えば、１８０度）回転動作させる。駆動回路５１は、アナログ電子時計１の状態などに応じて駆動パルスの長さ（パルス幅）を変更させることが出来る。また、複数の指針を同時に駆動させる制御信号が入力された場合に、負荷を低減させるために僅かに駆動パルスの出力タイミングをずらしたりすることが出来る。
【００３３】
これらの各構成のうち、ＣＰＵ４１、ＲＯＭ４２、ＲＡＭ４３、発振回路４４、分周回路４５及び計時回路４６は、チップ上に一括してマイコン（コンピュータ）として形成され得る。或いは、ＲＯＭ４２や発振回路４４の発振子などはマイコンに対して外付けされても良い。
【００３４】
次に、本実施形態のアナログ電子時計１における回転板６４の回転動作について説明する。
【００３５】
アナログ電子時計１では、ＣＰＵ４１が終点を定めて回転板６４の回転を自動的に停止させる（即ち、予め設定された２つの表示内容間で表示の切り替え動作を行う）場合と、操作受付部４７への入力動作に応じて取得される停止命令に従って、回転板６４の回転を任意の位置（停止可能な位置が限定されている場合も含む）で停止させる場合とがある。前者の場合には、ＣＰＵ４１は、回転板６４の回転移動方向を決定し、移動量を算出した後、設定可能な最高速度（設定移動速度）で回転板６４を回転動作させることで、速やかに所望の位置に回転板６４を移動させることが出来る。
【００３６】
一方、操作受付部４７への入力動作に基づいて回転板６４の回転動作を中止させる場合、ユーザが回転板６４の回転位置（例えば、文字盤３の１２時方向に対する基準標識Ａ１の角度方向）、即ち、開口部３１から露出されている標識を視認しながら所望の位置で停止させる操作を行う。このとき、回転板６４の複数の標識のうち３つのみが開口部３１から露出されるので、ユーザは、文字盤３に隠されている所望の標識が残り何ステップ程度回転させた後に表示位置に移動して停止させれば良いのかを必ずしも予め推測出来ない。また、回転板６４を連続的に早送りさせる場合、早送り速度が速くなるに従って開口部３１から各標識が露出される時間が短くなり、所望の標識が露出されたことにユーザが気付いてから停止操作がなされて実際に回転が停止するまでの間のタイムラグにより、当該所望の標識が表示位置を大きく超過したり、更には、ユーザが所望の標識の露出を視認出来なくなったりする。一方で、一律に回転板６４の回転速度を低下させると、標識の切り替えに要する時間が長くなる。
【００３７】
本実施形態のアナログ電子時計１では、ユーザ操作に基づいて開口部３１から露出させて表示位置に位置させる標識を切り替える場合、ユーザが標識の切り替えに係る機能種別などに応じてりゅうずＣ１を一段階又は二段階引き出して所定の単位角度回転させることで、露出される標識は、当該機能種別に応じた表示対象の複数の標識（複数の表示内容）の中でりゅうずＣ１の回転方向に応じて１つ変更される。また、アナログ電子時計１では、所定時間内に２以上の所定回数りゅうずＣ１の単位角度の回転（第１の入力操作）が検出された場合に、回転板６４を連続的に早送りさせ（一段階目の早送り）、この早送りの状態で更に同方向にりゅうずＣ１の単位角度の回転が検出された場合には、二段階目の早送りに移行する。一段階目の早送りと二段階目の早送りとの違いについては後述する。一段階目及び二段階目の早送り状態で、りゅうずＣ１が当該単位角度の回転とは反対方向に単位角度回転（第２の入力操作）したことが検出された場合に、早送りを中止する制御が行われる。
【００３８】
これらの標識の切り替え動作において、標識一つ分の切り替え時には高速（高速移動速度）、即ち、４００ｐｐｓで回転板６４を回転させる一方、回転板６４の連続的な早送りを行わせる場合には、回転速度（早送り移動速度）をこの高速での回転時よりも若干低下させる。また、回転板６４には、実行中の機能種別とは関係のない標識も混在しているので、これら関係のない標識が表示位置を通過する（表示の対象とされない表示内容の表示状態が含まれる）場合には、回転速度を低下させず、高速回転させる。即ち、連続的な早送りでは、高速回転部分とこれより遅い回転速度での回転部分とが混在し、表示対象の標識の表示を一巡させる間の平均回転速度（平均移動速度）は、高速での回転速度より小さく、回転速度が低下した部分での回転速度より大きくなる。
【００３９】
図４は、本実施形態のアナログ電子時計１における回転板６４の回転速度の設定例を示す図である。
【００４０】
図４（ａ）に示すように、例えば、世界時計機能（ＷＴ）の実行モードで設定都市を東京（ＴＹＯ）からドバイ（ＤＸＢ）に変更する場合、図２に示した回転板６４を当初低速（Ｐ１）又はこの低速よりも速い中速（Ｐ２）で回転板６４における都市標識の配列範囲の一端であるクリスマス島（ＣＸＩ）の標識位置が表示位置に到達するまで早送り回転移動させる。このクリスマス島の標識位置から次の都市標識（即ち都市標識の配列範囲の他端）であるベーカー島（ＢＡＲ）の標識位置までは、標識一つ分の角度差（６度）よりも大きい角度差があり、また、都市の設定とは関係のない標識が配列されているので、この間の回転移動は、早送りの段階（Ｐ１、Ｐ２）によらず何れよりも速い高速で行われる。ベーカー島の標識位置が表示位置に到達すると、又は到達する所定ステップ（例えば、２０ステップ）前で、回転板６４の回転速度は、再び低速（Ｐ１）又は中速（Ｐ２）に戻される。そして、ドバイ（ＤＸＢ）の標識が表示位置に到達するタイミング又はその直前（一つ手前のテヘラン（ＴＨＲ）の標識位置が表示位置を通過した後）でユーザが早送り回転動作の停止操作を入力することで、ドバイの標識が表示位置に到達したタイミングで早送りが中止される。
【００４１】
ここで設定される低速、中速、及び高速の実際の速度としては、低速及び中速は、ユーザが無理なく露出された標識を視認可能な上限速度以下に定められるのに対し、高速では、ユーザが露出されている標識が視認可能である必要は無く、ステッピングモータ８４及び回転板６４などに応じて設定可能な最高速度（４００ｐｐｓ）に定めることで移動に要する時間を短縮することが出来る。
【００４２】
図５は、本実施形態のアナログ電子時計１で実行される回転板動作制御処理のＣＰＵ４１による制御手順を示すフローチャートである。
この回転板動作制御処理は、りゅうずＣ１の引き出し動作が検出されて回転板６４の回転による各種設定動作に移行した場合に開始される。
【００４３】
回転板動作制御処理が開始されると、ＣＰＵ４１は、表示対象とされ得る標識が配置された範囲に係る情報を取得する（ステップＳ１０１）。ＣＰＵ４１は、標識リスト４２３を参照して、現在動作中の機能種別に応じた標識の配置範囲を読み出す。
【００４４】
ＣＰＵ４１は、りゅうずＣ１の回転、引き出しや押し戻しの動作に応じた命令の入力が検出されたか否かを判別する（ステップＳ１０２）。検出されていないと判別された場合には（ステップＳ１０２で“ＮＯ”）、ＣＰＵ４１は、ステップＳ１０２の処理を繰り返す。検出されたと判別された場合には（ステップＳ１０２で“ＹＥＳ”）、ＣＰＵ４１は、検出された命令が各種設定動作の終了命令であるか否かを判別する（ステップＳ１０３）。終了命令であると判別された場合には（ステップＳ１０３で“ＹＥＳ”）、ＣＰＵ４１は、回転板動作制御処理を終了する。
【００４５】
終了命令ではないと判別された場合には（ステップＳ１０３で“ＮＯ”）、ＣＰＵ４１は、りゅうずＣ１の回転動作の向きに応じて回転板６４の回転移動の方向を設定する（ステップＳ１０４）。ＣＰＵ４１は、回転方向について次に表示対象とされる標識の位置を取得して、当該標識を表示位置に移動させるための移動量を算出する（ステップＳ１０５）。
【００４６】
ＣＰＵ４１は、取得された命令が連続早送りの命令か否かを判別する（ステップＳ１０６）。ここでいう連続早送りとは、特定の標識を表示位置に移動させたところで早送りを終了させる設定を予めなさずに、ユーザによる停止動作が行われるまで続けられる早送り動作を意味し、回転板６４の回転速度が一時的にゼロになる（一時停止する）場合も含む。連続早送りの命令ではないと判別された場合には（ステップＳ１０６で“ＮＯ”）、ＣＰＵ４１は、駆動回路５１に対し、可能な限り高速、即ち、設定可能な最高速度で算出移動量だけ回転板６４を回転移動させる命令を出力する（ステップＳ１０７）。それから、ＣＰＵ４１の処理は、ステップＳ１０２に戻る。
【００４７】
検出された命令が連続早送りの命令であると判別された場合には（ステップＳ１０６で“ＹＥＳ”）、ＣＰＵ４１は、表示位置と一致させる移動元の標識から移動先の標識への切り替えによる回転板６４の回転移動がステップＳ１０１で取得された標識範囲の両端間での移動（両端の標識位置間での回転移動）であるか否かを判別する（ステップＳ１１１）。両端間での移動であると判別された場合には（ステップＳ１１１で“ＹＥＳ”）、ＣＰＵ４１は、両端間での移動、即ち、算出移動量の移動を上述の最高速度で行わせるように設定する（ステップＳ１１５）。それから、ＣＰＵ４１の処理は、ステップＳ１１６に移行する。
【００４８】
標識範囲の両端間での移動ではないと判別された場合には（ステップＳ１１１で“ＮＯ”）、ＣＰＵ４１は、一段階目の早送り動作であるか否かを判別する（ステップＳ１１２）。一段階目の早送り動作であると判別された場合には（ステップＳ１１２で“ＹＥＳ”）、ＣＰＵ４１は、算出移動量の移動速度を低速に設定する（ステップＳ１１３）。ここでいう低速は、上述の最高速度よりも遅く、ユーザが開口部３１内の標識を十分に視認可能な速度である。それから、ＣＰＵ４１の処理は、ステップＳ１１６に移行する。
【００４９】
一段階目の早送り動作ではない、即ち、二段階目の早送り動作であると判別された場合には（ステップＳ１１２で“ＮＯ”）、ＣＰＵ４１は、算出移動量の移動速度を中速に設定する（ステップＳ１１４）。ここでいう中速とは、上述の低速より速く、且つ最高速度よりも遅い範囲であって、一般的なユーザが開口部３１内の標識を視認可能な範囲内の速度とされる。それから、ＣＰＵ４１の処理は、ステップＳ１１６に移行する。
【００５０】
ステップＳ１１３〜Ｓ１１５の何れかの処理からステップＳ１１６の処理に移行すると、ＣＰＵ４１は、前回ステップＳ１１８の処理で早送り移動に係る命令を駆動回路５１に出力してから、早送りの停止命令の入力が検出されているか否かを判別する（ステップＳ１１６）。検出されていると判別された場合には（ステップＳ１１６で“ＹＥＳ”）、ＣＰＵ４１は、ステップＳ１１３〜Ｓ１１５の何れかの処理でなされた設定を破棄して（ステップＳ１１７）、処理をステップＳ１０２に戻す。これにより、回転板６４は、前回ステップＳ１１８の処理で出力された早送り移動の命令の実行（早送りの開始前であれば、ステップＳ１０７で出力された移動動作命令の実行）が完了した段階で停止する。
【００５１】
早送りの停止命令の入力が検出されていないと判別された場合には（ステップＳ１１６で“ＮＯ”）、ＣＰＵ４１は、ステップＳ１１３〜Ｓ１１５の何れかの処理でなされた設定に応じた早送り動作の命令を駆動回路５１に出力する（ステップＳ１１８）。この出力は、既に回転板６４の連続早送りが開始されている場合には、前回のステップＳ１１８の処理で出力された算出移動量分の早送りに引き続いて（移動速度が変化する場合には当該変化を伴って）連続的に早送りがなされるようになされる。それから、ＣＰＵ４１の処理は、ステップＳ１０５に戻る。
【００５２】
［変形例１］
図６は、本実施形態のアナログ電子時計１における回転板動作制御処理の変形例１を示すフローチャートである。
【００５３】
この変形例１では、見かけ上の回転板６４の回転動作は、上記実施形態と同一であるが、動作制御の内容が異なる。ここでは、回転板６４における標識の間隔が６度４０ステップであることが予め設定保持されている。また、標識範囲における両端の標識間の移動ステップ数は、ステップＳ１０１の処理で標識範囲が取得されたときに併せて取得又は算出される。
この変形例１の回転板動作制御処理は、上記実施形態の回転板動作制御処理のステップＳ１０５、Ｓ１１７の処理が省略されてステップＳ１１９の処理が追加され、また、ステップＳ１０７、Ｓ１１１、Ｓ１１３〜Ｓ１１５、Ｓ１１８の処理がそれぞれステップＳ１０７ａ、Ｓ１１１ａ、Ｓ１１３ａ〜Ｓ１１５ａ、Ｓ１１８ａの処理に変更され、ステップＳ１１６の処理の位置が変更されている。その他の処理については同一であり、同一の処理内容には同一の符号を用いることとして詳しい説明を省略する。
【００５４】
ステップＳ１０４の処理が終了すると、ＣＰＵ４１の処理は、ステップＳ１０６に移行する。ステップＳ１０６の判別処理で“ＹＥＳ”に分岐すると、ＣＰＵ４１は、設定最高速度で標識間隔（６度）に応じたステップ数（４０ステップ）の移動動作命令を駆動回路５１に出力する（ステップＳ１０７ａ）。それから、ＣＰＵ４１の処理は、ステップＳ１０２に戻る。
【００５５】
ステップＳ１０６の判別処理で“ＮＯ”に分岐すると、ＣＰＵ４１は、回転方向に次のステップ位置への移動が表示対象となる標識範囲の外側であるか否かを判別する（ステップＳ１１１ａ）。外側であると判別された場合には（ステップＳ１１１ａで“ＹＥＳ”）、ＣＰＵ４１は、移動速度を高速に設定する（ステップＳ１１５ａ）。それから、ＣＰＵ４１の処理は、ステップＳ１１８ａに移行する。
【００５６】
次のステップ位置への移動が標識範囲の外側ではないと判別された場合には（ステップＳ１１１ａで“ＮＯ”）、ＣＰＵ４１は、一段階目の早送りであるか否かを判別し（ステップＳ１１２）、一段階目であると判別された場合には（ステップＳ１１２で“ＹＥＳ”）、移動速度を低速に設定（ステップＳ１１３ａ）した後、処理をステップＳ１１８ａに移行させる。一段階目ではないと判別された場合には（ステップＳ１１２で“ＮＯ”）、ＣＰＵ４１は、移動速度を中速に設定し（ステップＳ１１４ａ）、処理をステップＳ１１８ａに移行させる。
【００５７】
ステップＳ１１３ａ〜Ｓ１１５ａの何れかの処理からステップＳ１１８ａの処理に移行すると、ＣＰＵ４１は、設定された移動速度に応じた時間が先の回転板６４の回転移動動作から経過した後に、駆動回路５１に回転板６４を１ステップ回転移動動作させる命令を出力する（ステップＳ１１８ａ）。ＣＰＵ４１は、回転移動動作の停止命令の入力が検出されたか否かを判別し（ステップＳ１１６）、検出されていないと判別された場合には（ステップＳ１１６で“ＮＯ”）、ＣＰＵ４１の処理は、ステップＳ１０６に戻る。検出されたと判別された場合には（ステップＳ１１６で“ＹＥＳ”）、ＣＰＵ４１は、現在の回転板６４の回転位置及び回転方向に応じて次に表示位置に到達する表示対象の標識が当該表示位置に到達するまで現在の設定速度で（即ち、時間間隔で）回転板６４の回転移動命令を駆動回路５１に出力する（ステップＳ１１９）。それから、ＣＰＵ４１の処理は、ステップＳ１０２に戻る。
【００５８】
即ち、この変形例１の回転板動作制御処理では、回転板６４の早送り時には、１ステップの回転移動ごとに標識範囲内外の判別及び早送り段階の判別を行って移動速度の変更を可能とする。
【００５９】
［変形例２］
次に、回転板動作制御処理の変形例２について説明する。
この変形例２の回転板動作制御処理では、一段階目の連続的な早送りにおいて、図４（ｂ）に示すように、表示対象の各標識が表示位置と一致したタイミングで所定時間早送りが中断（一時停止）される。操作受付部４７により受け付けられた停止命令の入力動作が検出されない限り、所定時間後にこの中断が解除されて早送りが再開される（即ち、連続的な早送りには、操作入力に依らずに一時的に挿入される回転速度がゼロの期間（一時停止期間）が含まれ得る）。また、変形例１とは反対に、標識間の距離が一定に限られない。従って、表示対象とされる標識範囲が複数のブロックに更に分割されて配置されていても良い。
【００６０】
また、ステップＳ１０５の処理において、標識範囲の両端にある標識間で早送り移動を行わせる場合に、ユーザ操作（りゅうずＣ１の回転動作）によって指示された回転方向に回転移動させる必要は無く、例えば、両者間の距離（角度）が小さい場合には、当該指示とは逆転方向に回転板６４を回転移動させることが出来る。図４（ｃ）に示すように、機能動作のモードの切り替えを行う場合に、当該モードの種別を示す標識は６つであって、配列範囲は３０度であるので、配列範囲の一端の標識が表示位置にある状態から他端の標識が表示位置にある状態へ早送り移動させる場合、回転板６４の早送り方向を逆転させて高速で３０度早送り移動させる。この場合、逆転移動中には途中の標識が表示位置に一致するタイミングでの一時停止や早送り中止命令の検出に伴う回転板６４の停止制御はなされず、必ず他端の標識が表示位置に到達するまで早送りが継続される。
【００６１】
図７は、本実施形態のアナログ電子時計１における回転板動作制御処理の変形例２を示すフローチャートである。
【００６２】
この変形例２の回転板動作制御処理では、上記実施形態のアナログ電子時計１における図５に示した回転板動作制御処理に対し、ステップＳ１１１、Ｓ１１３の処理がそれぞれステップＳ１１１ｂ、Ｓ１１３ｂに置き換えられている。また、ステップＳ１１２、Ｓ１１３ｂの処理は、ステップＳ１１６の処理の後に行われる。その他の処理は、同一であり、同一の処理内容については同一の符号を付して詳しい説明を省略する。
【００６３】
ステップＳ１０６の判別処理で“ＮＯ”に分岐すると、ＣＰＵ４１は、次に表示対象とされる標識を表示位置に移動させるまでの移動量の絶対値（｜移動量｜）が基準ステップ数（ここでは、４０ステップ；基準量）より大きいか否かを判別する（ステップＳ１１１ｂ）。基準ステップ数より大きいと判別された場合には（ステップＳ１１１ｂで“ＹＥＳ”）、ＣＰＵ４１は、算出された移動量を高速で早送り移動させる設定を行う（ステップＳ１１５）。それから、ＣＰＵ４１の処理は、ステップＳ１１８に移行する。
【００６４】
基準ステップ数より大きくない（以下である）と判別された場合には（ステップＳ１１１ｂで“ＮＯ”）、ＣＰＵ４１は、算出された移動量を中速で早送り移動させる設定を行う（ステップＳ１１４）。それから、ＣＰＵ４１の処理は、ステップＳ１１６に移行する。
【００６５】
ステップＳ１１６の判別処理で、連続早送りの停止命令の入力が検出されていないと判別された場合には（ステップＳ１１６で“ＮＯ”）、ＣＰＵ４１は、連続早送りが一段階目であるか否かを判別する（ステップＳ１１２）。一段階目であると判別された場合には（ステップＳ１１２で“ＹＥＳ”）、ＣＰＵ４１は、前回のステップＳ１１８の移動命令出力に係る早送り動作の完了後、所定時間間隔早送り動作を中断させて待機する（ステップＳ１１３ｂ）。それから、ＣＰＵ４１の処理は、ステップＳ１１８に移行する。一段階目ではないと判別された場合には（ステップＳ１１２で“ＮＯ”）、ＣＰＵ４１の処理は、ステップＳ１１８に移行する。
【００６６】
このように、変形例２の回転板動作制御処理では、連続早送りの一段階目と二段階目とにおいて、回転速度を中速で等しくする一方で、一段階目では、標識１つ分の早送りがなされるごとに所定の待機時間を挿入して断続的に早送り動作を行わせる。この待機時間は、ユーザが表示内容を視認して、早送りを停止させたい場合に停止命令の入力操作を行うことが可能な時間であれば良く、長い待機時間が定められる必要はない。
【００６７】
以上のように、本実施形態のアナログ表示装置であるアナログ電子時計１は、回転板６４を有し、当該回転板６４が回転移動することで表示（露出）される標識が変化する表示部１０と、回転板６４の回転移動を制御するＣＰＵ４１と、ユーザの入力操作を受け付ける操作受付部４７と、を備え、ＣＰＵ４１は、操作受付部４７により受け付けられる第１の入力操作に応じて回転板６４を早送りで回転移動させて表示部１０による複数の標識を順番に表示させ、操作受付部４７により受け付けられる第２の入力操作に応じて早送りでの回転移動を中止させ、早送りで回転移動を行わせる場合に、表示される順番の隣り合った標識間で切り替えるときの少なくとも一部における回転板６４の早送り速度を、早送りでの回転移動により複数の標識の表示を一巡させる間の回転板６４の平均移動速度よりも大きい高速での移動に定める。
このように、表示対象の標識が表示位置に一致する、即ち、所望の標識が表示位置に一致し得るタイミングでは回転板６４の移動速度を低下させ又は一時停止させ、表示位置に一致しないタイミングの少なくとも一部で回転板６４を高速回転させることで、ユーザの待ち時間の増大を抑えつつ回転する回転板６４の標識をユーザが知得しやすくし、適切に回転動作を停止させやすくすることが出来る。従って、アナログ表示内容の変更動作に係るユーザの利便性を向上させることが出来る。
【００６８】
また、ＣＰＵ４１は、表示順の隣り合った標識間での切り替えに係る回転板６４の移動量が所定の基準量（４０ステップ）より大きい場合には、回転板６４の早送り速度を高速に定める。即ち、順番に表示される標識の間隔が広い場合や間に他の標識が挟まれている場合などには、これらの区間を高速で通過移動させるので、ユーザが標識を視認する必要の無い区間の移動に要する時間を短縮する一方で、隣り合う標識が通常に並んで配列されているなどの場合には、高速での移動速度よりも低下させた低速や中速の早送り速度とすることで、ユーザが標識を視認しやすくすることが出来る。
【００６９】
また、ＣＰＵ４１は、早送り動作を行わせる場合に、順番に表示される隣り合った表示内容間での切り替え途中に表示の対象とされない標識がある場合には、切り替えに係る回転板６４の早送り速度を高速に定める。
このように、表示対象とされない標識の通過中に早送り速度を低下させないことでユーザに不要な標識を認識させにくくすることが出来る。また、このように部分的に高速で早送りさせることによってユーザに現在の回転角度での停止がないことを示すことで、ユーザが必要以上に回転板６４の標識に注目したり、不要な位置での早送り停止操作を行ったりしないようにすることが出来る。
【００７０】
また、ＣＰＵ４１は、回転板６４を複数の早送り速度で回転移動させることが可能であり、高速の早送り速度は、複数の早送り速度のうち最高速度である。
このように、表示対象外の標識部分では設定可能な最高速度で回転板６４を回転させることで、極力不要な時間を低減させつつ必要な範囲では減速させてユーザに標識を見やすくすることが出来る。
【００７１】
また、ＣＰＵ４１は、表示部１０により、予め設定された２つの標識間で表示の切り替え動作を行わせる場合における回転板６４の設定移動速度よりも、早送り動作時に高速で移動させない期間の移動速度（即ち、中速や低速の早送り速度）を小さく定める。
このように、既に早送り移動先が定まっていてユーザの操作を要さずにＣＰＵ４１が早送り移動先で回転板６４の回転を停止させる場合にも、ユーザが途中の標識を視認する必要が無いので、ユーザが標識を視認しながら入力操作により所望の回転位置で停止させる場合と比較して高速、即ち短時間で早送り移動させることが出来る。
【００７２】
また、ＣＰＵ４１は、回転板６４を複数の早送り速度で回転動作させることが可能であり、設定移動速度は、複数の早送り速度のうち最高速度である。即ち、ユーザの操作を要さない場合の上述の早送り速度も最高速度とすることで、適切に早送り時間の短縮を図ることが出来る。
【００７３】
また、表示部１０の可動部分には、回転移動可能に設けられた回転板６４を含む。回転板６４の回転動作のように、ステッピングモータなどの駆動部の能力とトルクの大きさなどに応じて通常の指針よりも周回に要する動作ステップ数が多いものでは、可能な限り高速で回転させることで早送りに要する時間を短縮させることが出来るが、その結果、手動で早送りを停止させる場合には、正確な位置やその近辺でユーザが停止操作を行いづらくなりやすい。従って、早送り移動を中止しない（表示対象となる標識がない）角度範囲での回転速度を大きく設定する一方で、早送り移動を中止し得る部分（表示対象となる標識が表示位置と一致する回転位置及びその近傍の角度範囲）では回転速度を低下させることで、ユーザの利便性を向上させることが出来る。
【００７４】
また、回転板６４における一方の面を覆う文字盤３を備え、この回転板６４の一方の面には、当該回転板６４の回転移動に応じて文字盤３の開口部３１から露出可能に配置された複数の標識が設けられ、開口部３１は、回転板６４の回転移動により複数の標識のうち一部が選択的に露出可能に形成されている。
このように、回転板６４に複数の標識を設けつつ必要な標識のみを開口部３１から露出させることで、不要な標識が露出される面積を低減させ、当該低減された範囲を広く多様なデザインに用いることが可能になる。この一方で、一部の標識しか露出されないので、高速で回転板６４が回転されると、ユーザが露出されている標識を更に視認し難くなり、視認可能な速度で回転させたとしても標識が露出されるまで開口部３１を注視する必要が生じたり、露出されてから早送り回転移動を中止させる操作を行うまでのタイムラグの間に当該標識が表示位置を通過したりするという問題が生じやすくなる。従って、特にこのような構造を有するアナログ表示装置において回転板６４の早送り回転をユーザの入力操作に基づいて停止させる場合に、早送り移動を中止させ得る期間における早送り速度をその他の場合の早送り速度よりも低く定めることで、必要以上に早送りに要する時間を長くさせずにユーザがより適切に早送りを中止させ易くすることが出来る。
【００７５】
また、複数の標識は、回転板６４の回転軸に対して所定の回転角度範囲に設けられ、ＣＰＵ４１は、この所定の回転角度範囲外では、回転板６４を高速で回転移動させる。即ち、ユーザによる選択対象となる標識が回転板６４の３６０度に亘って環状に設けられていない場合には、当該設けられていない範囲が表示位置を通過する間で回転板６４の早送り移動を停止させることは無いので、高速で早送りさせることで、表示対象の標識をユーザが視認して回転の停止操作を行いやすくするために回転速度を低下させている分による早送り時間の増大を低減させることが出来る。
【００７６】
また、回転板６４には、２以上の所定数の機能動作、ここでは、世界時計機能、アラーム報知機能、バッテリ残量表示機能や、動作機能の選択機能などにそれぞれ係る複数の標識が当該回転板６４の回転軸に対して互いに異なる回転角度範囲に設けられ、ＣＰＵ４１は、第１の入力操作に応じて表示の対象とされる機能動作に係る複数の標識が設けられた回転角度範囲外で回転板６４を回転移動させる場合には、回転板６４を高速で回転移動させる。
即ち、回転板６４の表面には、複数の機能動作に係る標識を配列させることが出来、必要に応じて必要な標識を開口部３１から露出させ、他の標識を文字盤３の裏側に隠すことが出来る。このような回転板６４を早送り回転移動させてユーザが所望の位置で早送りを中止させる場合に、実行中の機能とは関係ない機能動作に係る標識が表示位置を通過する場合に当該標識が設けられた範囲を高速で早送り移動させて通過させることで、不要な標識が設けられた範囲の通過に要する早送り時間を低減させつつ、必要な範囲ではユーザが標識を視認しやすくすることが出来る。また、不要な標識の視認性を低下させることで、ユーザに必要の無い範囲で開口部３１から露出される標識を注視し、所望の標識を探す手間を低減させることが出来る。
【００７７】
また、ＣＰＵ４１は、回転板６４の早送り動作時に、標識の表示ごとに回転板６４を所定時間ずつ一時停止させる。
これにより、ユーザは、より確実に選択対象となる標識を視認して適切なタイミングで早送り移動を中止させる入力操作を行うことが出来る。また、選択対象とならない標識が表示位置と一致するタイミングでは早送りが一時停止しないので、早送り中にはユーザが開口部３１から露出されている標識に気を配る必要が無く、また、選択対象外の標識が表示位置にあるタイミングで誤って早送り移動を中止させることがない。
【００７８】
また、本実施形態のアナログ電子時計１は、上述の構成に加えて現在の時刻を計数する計時回路４６を備え、表示部１０は、時刻指針６１〜６３を更に備えることで、ＣＰＵ４１の制御により計時回路４６が計数する現在の時刻に応じた時刻を表示することが可能である。
このようなアナログ電子時計１が有する回転板６４の早送り移動動作に対して本発明を適用して早送り移動速度を回転角度範囲毎に調整することで、回転板６４の回転に要する時間を必要以上に長引かせずにしつつ、所望の標識の位置を認識し、容易に表示位置で停止させやすくすることが出来る。特に、腕時計などの携帯可能な小型の電子時計などにおいて、本発明により必要以上に多くの標識を露出させたり、回転板６４の回転速度を一律に低速にしたりしないので、電子時計の設計の幅が広がり、操作性とデザイン性とを両立させやすくなる。
【００７９】
また、上述のような回転板６４の表示動作制御方法を用いることで、アナログ表示におけるユーザ操作に基づく早送り動作の中止命令を容易且つ適切に可能としながら早送り動作に要する時間を必要以上に増大させないので、ユーザの利便性を向上させることが出来る。
【００８０】
また、回転板動作制御処理の制御に係るプログラム４２１をＲＯＭ４２に記憶させてＣＰＵ４１により実行させることで、ハードウェア構成の工夫などを必要とせずに容易かつ柔軟にユーザ操作に基づく回転板６４の回転動作の制御を行い、ユーザの利便性を向上させることが出来る。
【００８１】
なお、本発明は、上記実施の形態に限られるものではなく、様々な変更が可能である。
例えば、上記実施の形態では、表示対象外の角度範囲における回転速度を設定可能な最高速度としたが、本発明は、これに限るものではなく、例えば、電力供給の問題などで連続的な早送りにおいて最速での継続的な移動が困難な場合などに、回転速度が若干減速されて設定されても良い。
【００８２】
また、上記実施の形態における変形例２では、表示対象となる標識位置では、第一段階目の早送りの場合に回転板６４の動作を一時停止させることとしたが、この場合、表示対象の角度範囲とそれ以外の範囲とで早送り速度を異ならせずに同一の速度で高速移動させても良い。即ち、第二段階目の早送りと角度範囲外での早送りを同一としても良い。或いは、第二段階の早送り移動がなく、第一段階の早送りと表示対象角度範囲外での連続早送りの二種類だけが設定されていても良い。
【００８３】
また、上記実施形態では、回転板６４は円板形状であって、複数の機能種別に係る標識が互いに異なる角度範囲に各々設けられているものを示したが、これに限られない。
【００８４】
図８は、回転板６４の変形例を示す正面図である。
このように、回転板６４は、扇型やその他の形状であっても良い。また、単一の特定の機能種別に係る複数の標識のみが設けられていても良い。この場合でも、標識が設けられている角度範囲の両端間を早送り移動させる場合に、本発明を適用することが出来る。
【００８５】
また、このような場合に、回転板６４は、３６０度回転自在である必要は無く、一部の回転角度範囲でのみ回転動作可能であっても良い。この場合、両端の標識間での早送りは、逆回転で行われる。
【００８６】
また、上記実施の形態では、標識が設けられた回転板６４を回転させて固定された開口部から露出させることとしたが、標識が設けられた固定板に対し、開口部を設けた回転板を回転させて露出させる標識を切り替えるものであっても良い。また、回転板ではなく、無端状の幕をローラなどで回転移動させる構成などでも良い。また、表示対象の標識以外を隠す遮蔽板が設けられているものに限られない。また、標識が設けられた平面状のものに限られず、指針状のものであっても、特に一ステップ当たりの回転角度が小さく、周回移動に要するステップ数が多いもので高速移動が可能なものなどでは、本発明を同様に適用することが出来る。
【００８７】
また、上記実施の形態では、表示対象の標識間の間隔が一部で基準量よりも広い場合に回転速度を上げることとしたが、均一間隔で配列されている場合でも、標識数が少ないなどで各間隔が広い場合には、各間隔の一部、中間部分などで一時的に回転速度の低下を行わせないこととして高速回転させても良い。
【００８８】
また、上記実施の形態では、表示対象の角度範囲では一律に角度範囲外よりも早送り速度を抑えることとしたが、標識間のステップ数が多い場合には、当該標識間の中央付近など一部で早送り速度を上昇させることとしても良い。
【００８９】
また、上記実施の形態では、電子時計における世界時計の都市（地方時）設定や、実行する機能モードの選択などにおける回転板６４の早送り動作を例に挙げて説明したが、これに限られない。可動表示部を用い、当該可動部を電子的に動作制御して、アナログ的に表示内容を切り替える表示部を有する各種アナログ表示装置（例えば、各種物理量を計測して表示させるメーターなど）において表示内容を早送りさせながら手動で選択して停止させる場合に、当該表示内容の切り替え途中であって早送りの中止がなされない部分に比して、早送りの停止がなされ得る範囲での早送り速度を抑えることで、ユーザが標識を確実に認識して適切に早送りを中止させ易くすることが出来る。
【００９０】
また、上記実施の形態では、ＣＰＵ４１（マイコン）が回転板動作制御処理を実行して駆動回路５１に制御信号を出力することによりソフトウェア的に回転板６４の回転動作を制御したが、制御動作の一部などが駆動回路５１内の専用ハードウェア回路でなされるものであっても良い。
【００９１】
また、以上の説明では、本発明に係るＣＰＵ４１の処理動作に係る回転板動作制御処理などの動作処理のプログラム４２１のコンピュータ読み取り可能な媒体として不揮発性メモリを含み得るＲＯＭ４２を例に挙げて説明したが、これに限定されない。その他のコンピュータ読み取り可能な媒体として、ＨＤＤ（Hard Disk Drive）や、ＣＤ−ＲＯＭやＤＶＤディスクなどの可搬型記録媒体を適用することが可能である。また、本発明に係るプログラムのデータを通信回線を介して提供する媒体として、キャリアウェーブ（搬送波）も本発明に適用される。
その他、上記実施の形態で示した構成、制御内容や手順などの具体的な細部は、本発明の趣旨を逸脱しない範囲において適宜変更可能である。
【００９２】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００９３】
［付記］
＜請求項１＞
可動表示部を有し、当該可動表示部が移動動作することで表示内容が変化する表示部と、
前記可動表示部の移動動作を制御する制御部と、
ユーザの入力操作を受け付ける操作受付部と、
を備え、
前記制御部は、
前記操作受付部により受け付けられる第１の入力操作に応じて前記可動表示部を早送り移動動作させて前記表示部による複数の表示内容を順番に表示させ、
前記操作受付部により受け付けられる第２の入力操作に応じて前記早送り移動動作を中止させ、
前記早送り移動動作を行わせる場合に、表示される順番の隣り合った表示内容間で切り替えるときの少なくとも一部における前記可動表示部の早送り移動速度を、前記早送り移動動作により前記複数の表示内容の表示を一巡させる間の前記可動表示部の平均移動速度よりも大きい高速移動速度に定める
ことを特徴とするアナログ表示装置。
＜請求項２＞
前記制御部は、前記隣り合った表示内容間での切り替えに係る前記可動表示部の移動量が所定の基準量より大きい場合には、前記可動表示部の前記早送り移動速度を前記高速移動速度に定めることを特徴とする請求項１記載のアナログ表示装置。
＜請求項３＞
前記制御部は、前記早送り移動動作を行わせる場合に、順番に表示される隣り合った表示内容間での切り替え途中に表示の対象とされない表示内容の表示状態が含まれる場合には、前記切り替えに係る前記可動表示部の早送り移動速度を前記高速移動速度に定めることを特徴とする請求項１又は２記載のアナログ表示装置。
＜請求項４＞
前記制御部は、前記可動表示部を複数の早送り移動速度で移動動作させることが可能であり、
前記高速移動速度は、前記複数の早送り移動速度のうち最高速度である
ことを特徴とする請求項１〜３の何れか一項に記載のアナログ表示装置。
＜請求項５＞
前記制御部は、前記表示部により、予め設定された２つの表示内容間で表示の切り替え動作を行わせる場合における前記可動表示部の設定移動速度よりも、前記早送り移動動作時に前記高速移動速度で移動させない期間の移動速度を小さく定めることを特徴とする請求項１〜４の何れか一項に記載のアナログ表示装置。
＜請求項６＞
前記制御部は、前記可動表示部を複数の早送り移動速度で移動動作させることが可能であり、
前記設定移動速度は、前記複数の早送り速度のうち最高速度である
ことを特徴とする請求項５記載のアナログ表示装置。
＜請求項７＞
前記可動表示部は、回転移動可能に設けられた表示板を含むことを特徴とする請求項１〜６の何れか一項に記載のアナログ表示装置。
＜請求項８＞
前記表示板における一方の面を覆う遮蔽板を備え、
前記一方の面には、前記表示板の回転移動に応じて前記遮蔽板の開口部から露出可能に配置された複数の標識が設けられ、
前記開口部は、前記表示板の回転移動により前記複数の標識のうち一部が選択的に露出可能に形成されている
ことを特徴とする請求項７記載のアナログ表示装置。
＜請求項９＞
前記複数の標識は、前記表示板の回転軸に対して所定の回転角度範囲に設けられ、
前記制御部は、前記所定の回転角度範囲外では、前記表示板を前記高速移動速度で回転移動動作させることを特徴とする請求項８記載のアナログ表示装置。
＜請求項１０＞
前記表示板には、２以上の所定数の機能動作にそれぞれ係る複数の標識が当該表示板の回転軸に対して互いに異なる回転角度範囲に設けられ、
前記制御部は、前記第１の入力操作に応じて表示の対象とされる機能動作に係る前記複数の標識が設けられた前記回転角度範囲外で前記表示板を回転移動させる場合には、前記表示板を前記高速移動速度で回転移動動作させる
ことを特徴とする請求項８記載のアナログ表示装置。
＜請求項１１＞
前記制御部は、前記可動表示部の前記早送り移動動作時に、前記表示内容の表示ごとに前記可動表示部を所定時間ずつ一時停止させることを特徴とする請求項１〜１０の何れか一項に記載のアナログ表示装置。
＜請求項１２＞
請求項１〜１１の何れか一項に記載のアナログ表示装置と、
現在の時刻を計数する計時部と、
を備え、
前記表示部は、前記制御部の制御により前記計時部が計数する現在の時刻に応じた時刻を表示することが可能である
ことを特徴とする電子時計。
＜請求項１３＞
可動表示部を有し、当該可動表示部が移動動作することで表示内容が変化する表示部と、ユーザの入力操作を受け付ける操作受付部と、を備えるアナログ表示装置の表示動作制御方法であって、
前記操作受付部により受け付けられる第１の入力操作に応じて前記可動表示部を早送り移動動作させて前記表示部による複数の表示内容を順番に表示させる早送り制御ステップ、
前記操作受付部により受け付けられる第２の入力操作に応じて前記早送り移動動作を中止させる早送り中止ステップ、
を含み、
前記早送り制御ステップでは、
表示される順番の隣り合った表示内容間で切り替えるときの少なくとも一部における前記可動表示部の早送り移動速度を、前記早送り移動動作により前記複数の表示内容の表示を一巡させる間の前記可動表示部の平均移動速度よりも大きい高速移動速度に定める
ことを特徴とする表示動作制御方法。
＜請求項１４＞
可動表示部を有し、当該可動表示部が移動動作することで表示内容が変化する表示部と、ユーザの入力操作を受け付ける操作受付部と、を備えるアナログ表示装置のコンピュータを、
前記操作受付部により受け付けられる第１の入力操作に応じて前記可動表示部を早送り移動動作させて前記表示部による複数の表示内容を順番に表示させる早送り制御手段、
前記操作受付部により受け付けられる第２の入力操作に応じて前記早送り移動動作を中止させる早送り中止手段、
として機能させ
前記早送り制御手段は、
表示される順番の隣り合った表示内容間で切り替えるときの少なくとも一部における前記可動表示部の早送り移動速度を、前記早送り移動動作により前記複数の表示内容の表示を一巡させる間の前記可動表示部の平均移動速度よりも大きい高速移動速度に定める
ことを特徴とするプログラム。
【符号の説明】
【００９４】
１     アナログ電子時計
２     ケーシング
３     文字盤
１０   表示部
３１   開口部
３２   指示標識
４１   ＣＰＵ
４２   ＲＯＭ
４２１ プログラム
４２２ 地方時テーブル
４２３ 標識リスト
４３   ＲＡＭ
４３１ 地方時設定情報
４４   発振回路
４５   分周回路
４６   計時回路
４７   操作受付部
４８   衛星電波受信処理部
４８１ 受信部
４８２ 制御部
４８３ 記憶部
４９   標準電波受信部
５１   駆動回路
５２   電力供給部
５２１ バッテリ
６１   秒針
６２   分針
６３   時針
６４   回転板
７１〜７４    輪列機構
８１〜８４    ステッピングモータ
ＡＮ１ アンテナ
ＡＮ２ アンテナ
【図１】
2018072259.tif 000003
【図２】
2018072259.tif 000004
【図３】
2018072259.tif 000005
【図４】
2018072259.tif 000006
【図５】
2018072259.tif 000007
【図６】
2018072259.tif 000008
【図７】
2018072259.tif 000009
【図８】
2018072259.tif 000010